(57)【要約】      （修正有）【課題】決済書類や病院のカルテ等、先に置いた書類の上に順次上へ重ねて行き、最初に置いた書類から処理しなければならない書類を、上に持ってくる事が出来る書類トレーを提供する。【解決手段】書類トレー１は、正面壁２に挿入口７、背面壁３に取り出し口８、左右両側壁の内側に上方向に開動するストッパー１２を複数個設け、上面に蓋６、底板５には正面壁２の外から手動にて操作するリフター９を設け、リフター９の上板１１は底板５に対し水平に設け、四角箱に構成された中でストッパー１２及び挿入口７を基準にして上下動する事を可能にする。【選択図】図２
0003219758.tif 000002
【実用新案登録請求の範囲】
【請求項１】
正面壁に挿入口、背面壁に取り出口、左右両側面壁、上蓋及び底板で構成される四角箱を設け、前記左右両側壁の内側中間には上方向に開動するストッパーを複数個設け、底板には手動のリフターを設け、前記リフターの上面は前記挿入口及び前記ストッパーを基準にして上下に可動する書類トレー。
【請求項２】
前記挿入口にシュートを設けた請求項１に記載の書類トレー。
【請求項３】
前記リフターは前記四角箱の外から手動にて操作する請求項１乃至２に記載の書類トレー
【考案の詳細な説明】
【技術分野】
【０００１】  本考案は決済書類や病院のカルテ等、先に置いた書類の上に順次重ねて行き、最初に置いた書類から処理しなければならない書類を、上に持ってくる事が出来る書類トレーに関するものである。
【背景技術】
【０００２】  会社等において決裁権のある者の書類トレーには、未決裁書類が置かれている、処理するに当たっては、先に置かれた書類から順次処理するのが一般であるが、積まれた書類の底から取り出さなければならない煩わしさや、先に置かれた書類が後回しになり決裁されずに何時までも其のまま置かれていると言う問題があった。【０００３】  正面壁、背面壁及び左右壁で構成される四角枠を設け、前記左右側壁を前記正面壁及び背面壁に対して上下に延長し、其の上下延出部にそれぞれ２段溝を形成し、前記２段溝に２枚の底板を抜挿可能にしてなる書類ケースも有るが、上下２段溝へ底板の抜挿の煩わしさ、書類の入った重いケースの反転等、問題が有った。
【先行技術文献】
【特許文献】
【特許文献１】特開２００１−１１３８７２号公報
【０００４】
【考案の概要】
【考案が解決しようとする課題】
【０００５】  本考案は、このような煩わしさや、問題点を解決し、先に置かれた書類から順次取り出す事が容易な書類トレーを提供することを課題とする。
【課題を解決するための手段】
【０００６】  本考案は、正面壁に挿入口、背面壁に取り出し口、左右両側壁の内側に上方向に開動するストッパーを複数個設け、上面に蓋、底板には正面壁の外から手動にて操作するリフター設け、リフターの上板は底板に対し水平に設け、四角箱に構成された中でストッパー及び挿入口を基準にして上下動する事を可能にした書類トレーを以て、上記問題を解決した。
【考案の効果】
【０００７】  本考案は決裁書類を処理するに当たって、投入した書類を、投入した順番に沿って順次取り出せ、上述した問題点を解決し、書類処理作業をスムーズし事務処理の効率を向上させる効果がある。
【図面の簡単な説明】
【０００８】
【図１】書類トレー実施例の構成を示す平面図である。
【図２】書類トレー実施例の構成を示す正面図である。
【図３】書類トレー実施例のリフター下限位置を示す正面図である。
【図４】書類トレー実施例のリフター上限位置を示す正面図である。
【図５】書類トレー実施例のリフター下限位置を示す側面図である。
【図６】書類トレー実施例のリフター上限位置を示す側面図である。
【図７】書類トレー実施例のリフターにファイルシートを載せた下限位置を示す側面図である。
【図８】書類トレー実施例のリフターにファイルシートを載せた上限位置を示す側面図である。
【考案を実施するための形態】
【０００９】  本考案の、投入した書類を、投入した順番に沿って順次取り出せる書類トレー１の構成について説明する。本書類トレー１は正面壁２に挿入口７背面壁３に取り出し口８左右両側壁４−１，４−２の内側に上方向に開動するストッパー１２を複数個設け、底板５には正面壁２の外から手動にて操作するリフター９を設け、リフター９の上板１１は四角箱に構成された中でストッパー１２及び挿入口７を基準にして上下動する、四角箱には上から書類を投入出来ないように上蓋６を設ける。
【００１０】  リフター９はロバーバル機構を用いた装置で、操作レバー１０補助レバー９−１支点脚９−２上板１１と其の下には一体化した重点脚９−３を夫々四本の連結ピン９−４で締結して構成された装置である。
【００１１】  以下、添付図面に従って一実施例を説明する。正面壁２に設けられた挿入口７からファイルシート１５−１に入れた未決裁書類（以下ファイルシートと言う）を挿入する、挿入されたファイルシート１５−１はリフター９の上板１１の上に設置される。
【００１２】  上板１１の上に設置されたファイルシート１５−１は正面壁２の外に出たリフター９の操作レバー１０を押し下げると、１１上板はロバーバル機構により１５−１ファイルシートを積載したまま左右両側壁４−１、４−２の内側に設置されたストッパー１２を跳ね上げ上限でとまる。この時ストッパー１２は上板１１の上に設置されたファイルシート１５−１から外れ、元の位置に復帰する。
【００１３】  次いで、押し下げた操作レバー１０を元に戻すと、上板１１とファイルシート１５−１は下がってくる。上板１１にはストッパー１２を回避する切込み１３が入れてあり、上板１１はストッパー１２を通過して元の位置に戻るが、ファイルシート１５−１は回避する切込みが無く１２ストッパーパー上に残り一連の操作は終了する。
【００１４】  次にファイルシート１５−２を正面壁２に設けられた挿入口７から挿入する、挿入されたファイルシート１５−２はリフター９の上板１１の上に設置される。上板１１の上に設置されたファイルシート１５−２は正面壁２の外に出たリフター９の操作レバー１０を押し下げると上板１１はロバーバル機構により１５−２ファイルシートを積載したまま左右両側壁４−１、４−２の内側に設置されたストッパー１２を跳ね上げ先に挿入されたファイルシート１５−１の下に入って上限でとまる。この時ストッパー１２は上板１１の上に設置されたファイルシート１５−２から外れ、元の位置に復帰する。
【００１５】  次いで、押し下げた操作レバー１０を元に戻すと、上板１１と上にファイルシート１５−１、下にファイルシート１５−２が重なって下がってくる。上板１１はストッパー１２を回避して元の位置に戻るが、ファイルシート１５−２は上にファイルシー１５−１と重なったままストッパー１２の上に残り一連の操作は終了する。
【００１６】  順次ファイルシートを挿入し、操作レバー１０を押し下げ、操作レバー１０を戻す操作で、先に入れたファイルシートの下に、後に入れたファイルシートが設置され、一連の簡単な操作を繰り返す事で課題の解決に至った。
【００１７】操作レバー１０にシュート１４を付けてファイルシートの挿入を容易にした
【００１８】  リフター９はロバーバル機構を採用したが、レバーとガイドを用いた方法、パンタグラフ等平行運動機構も有るが、ロバーバル機構がよりスムーズに作動した。
【符号の説明】
【００１９】１  書類トレー
２  正面壁
３  背面壁
４−１  左側面壁
４−２  右側面壁
５  底板
６  上蓋
７  挿入口
８  取り出し口
９  リフター
９−１  補助レバー
９−２  支点脚
９−３  重点脚
９−４  連結ピン
１０  操作レバー
１１  上板
１２  ストッパー
１３  切り込み
１４  シュート
１５−１  ファイルシート
１５−２  ファイルシート
【図１】
0003219758.tif 000003
【図２】
0003219758.tif 000004
【図３】
0003219758.tif 000005
【図４】
0003219758.tif 000006
【図５】
0003219758.tif 000007
【図６】
0003219758.tif 000008
【図７】
0003219758.tif 000009
【図８】
0003219758.tif 000010